(57)【要約】【課題】変化と意外性に富んだ飽きのこない可変表示機能を有する磁着具を提供する。【解決手段】支持体に磁石材を配設して磁性相手材への磁着を自在に形成される磁着具において、支持体１３は、連結軸部４０と、該連結軸部４０を介してその軸方向と直交する方向での回動を自在に連結される磁石材１２付きの一側支持片部１４と、他側支持片部２４とで構成し、これら一側支持片部１４と他側支持片部２４とは、それぞれの表出外側面１６，２６，２９をキャラクター表示部１７，２７，３０とすることで、可変表示機能を付与して形成した。【選択図】　図２
2004017575.tif 000002
【特許請求の範囲】
【請求項１】
支持体に磁石材を配設して磁性相手材への磁着を自在に形成される磁着具において、
前記支持体は、連結軸部と、該連結軸部を介してその軸方向と直交する方向での回動を自在に連結される一側支持片部と他側支持片部とで構成し、
これら一側支持片部と他側支持片部とは、いずれか一方の側に前記磁石材を配設するとともに、それぞれの表出外側面をキャラクター表示部としたことを特徴とする可変表示機能を付与した磁着具。
【請求項２】
前記磁石材は、一側支持片部と他側支持片部とのいずれか一方の側の一側面に付設し、確保される３つの前記表出外側面をキャラクター表示部とした請求項１に記載の可変表示機能を付与した磁着具。
【請求項３】
前記磁石材は、一側支持片部と他側支持片部とのいずれか一方の側に内蔵させ、確保される４つの前記表出外側面をキャラクター表示部とした請求項１に記載の可変表示機能を付与した磁着具。
【請求項４】
前記一側支持片部と前記他側支持片部とは、前記連結軸部との関係で前記表出外側面相互が面一となった状態での位置規制とその人為的な解除とを自在にして相互を連結させた請求項１ないし３のいずれかに記載の可変表示機能を付与した磁着具。
【発明の詳細な説明】
【０００１】
【発明の属する技術分野】
本発明は、例えば磁性ボードのような磁性相手材に対しメモ紙片などのシート状薄片を磁着する際などに意外性に富む変化を楽しみながら使用することができる可変表示機能を付与した磁着具に関する技術である。
【０００２】
【従来の技術】
メモ紙片などのシート状薄片は、散逸を防いだり備忘のために人目につきやすい場所に目立つようにして置いておく必要があり、このため、従来より磁性ボードのような磁性相手材に対してその磁着力によりシート状薄片を保持させておくことができる磁着具が提供されてきている。
【０００３】
そして、この種の磁着具のなかには、磁石材を外カバー材に取り付け、外カバー材の表出面に適宜のキャラクターを描示したり、前記外カバー材自体に動物や植物などの適宜のキャラクター形状を付与して形成することにより、実用性を伴った子供向けのキャラクター商品として提供されているものもある。
【０００４】
【発明が解決しようとする課題】
しかし、子供向けキャラクター商品のひとつとして従来から提供されてきている上記磁着具は、キャラクター自体が固定化されて変化に欠けるものであったため、使用を続けるうちに飽きられてしまう不都合があった。
【０００５】
本発明は、従来からある磁着具にみられた上記課題に鑑み、幼い子供であっても簡単に操作でき、変化と意外性に富んで飽きがこない可変表示機能を付与した磁着具を提供することにその目的がある。
【０００６】
【課題を解決するための手段】
本発明は、上記目的を達成すべくなされたもので、支持体に磁石材を配設して磁性相手材への磁着を自在に形成される磁着具において、前記支持体は、連結軸部と、該連結軸部を介してその軸方向と直交する方向での回動を自在に連結される一側支持片部と他側支持片部とで構成し、これら一側支持片部と他側支持片部とは、いずれか一方の側に前記磁石材を配設するとともに、それぞれの表出外側面をキャラクター表示部としたことに構成上の特徴がある。
【０００７】
この場合、前記磁石材は、一側支持片部と他側支持片部とのいずれか一方の側の一側面に付設し、確保される３つの前記表出外側面をキャラクター表示部としたり、一側支持片部と他側支持片部とのいずれか一方の側に内蔵させ、確保される４つの前記表出外側面をキャラクター表示部とすることができる。
【０００８】
しかも、前記一側支持片部と前記他側支持片部とは、前記連結軸部との関係で前記表出外側面相互が面一となった状態での位置規制とその人為的な解除とを自在にして相互を連結させておくこともできる。
【０００９】
【発明の実施の形態】
図１は、本発明の一例についての正面図を、図２は、図１におけるＩ−Ｉ線矢視方向での縦断面図をそれぞれ示す。
【００１０】
これらの図によれば、磁着具１１は、適宜形状の磁石材１２と、該磁石材１２が配設される支持体１３とでその全体が構成され、例えば図３に示されているように磁性ボードなどからなる磁性相手材Ｂに対し磁着具１１の磁着力を介してメモ紙片などのシート状薄片Ａを保持させておくことができるようになっている。
【００１１】
この場合、支持体１３は、軸方向を上下方向とした連結軸部４０と、該連結軸部４０を介して上下方向にて相互を連結した例えば正面形状がそれぞれ円形を呈する一側支持片部１４と他側支持片部２４とで構成されている。
【００１２】
このうち、一側支持片部１４は、図２において左側に位置する一側面１５がキャラクター表示部１７として機能させる表出外側面１６として確保され、同右側に位置する他側面１８に磁石材１２を固定することにより形成されている。
【００１３】
また、他側支持片部２４は、図２において左側に位置する一側面２５と右側に位置する他側面２８とのそれぞれがキャラクター表示部２７，３０として機能させる表出外側面２６，２９として確保すべく一体的に形成されている。
【００１４】
さらに、連結軸部４０は、上下に位置させた一側支持片部１４と他側支持片部２４とをその軸方向と直交する方向での回動を自在に連結するために介在配置されている。
【００１５】
この場合における相互の連結構造は、連結軸部４０自体を例えばシリコーンゴムなどのような軟質材で形成し、その一端部４１を一側支持片部１４の対向面１９に設けた軸穴２０に、同他端部４３を他側支持片部２４の対向面３１に設けた通孔３２にそれぞれ圧入することにより形成されることになる。
【００１６】
図４は、本発明の他例を示すものであり、そのうちの（ａ）は正面側から見た状態を、（ｂ）は背面側から見た状態を示す図である。また、図５は、図４（ａ）におけるＩＩ−ＩＩ線矢視方向での縦断面図である。
【００１７】
これらの図によれば、図１に示す例と同様に、磁着具１１は、適宜形状の磁石材１２と、該磁石材１２が配設される支持体１３とでその全体が構成され、例えば図３に示されているように磁性ボードなどからなる磁性相手材Ｂに対し磁着具１１の磁着力を介してメモ紙片などのシート状薄片Ａを保持させておくことができるようになっている。
【００１８】
この場合における図１に示す磁着具１１との違いは、支持体１３を構成している一側支持片部１４の内部空間１４ａに磁石材１２が内蔵され、これによりその他側面１８も表出外側面２２として確保され、該表出外側面２２をキャラクター表示部２３とした点にあり、その他の構造は図１に示す磁着具１１と同一となっているので、重複を避けるためにその説明は省略する。
【００１９】
図６は、図５に示す回動の位置規制を行わない連結構造とは異なり、回動の位置規制を行う一例につきその要部を拡大して示す縦断面図であり、この例における一側支持片部１４は、連結軸部４０の一端部４１側に位置する一側連結部４２を導入して固着する穴部２１ａと、該穴部２１ａと連通して同他端部４３側に位置する他側連結部４４との関係でその位置関係を規制する掛合段部２１ｂとを備えてなる凹陥部２１をその対向面１９側に設けて形成されている。なお、掛合段部２１ｂは、一側支持片部１４の対向面１９の横幅方向（図４における左右方向）での内幅寸法が連結軸部４０の直径より大きくなるようにして形成されている。
【００２０】
また、他側支持片部２４は、その表出外側面２６または２９が一側支持片部１４の表出外側面１６または２２と面一の位置関係となった際に一側支持片部１４の掛合段部２１ｂと回動不能に掛合させるべくその対向面３１上に立設された掛止部３３と、連結軸部４０の他側連結部４４を挿通させるべく掛止部３３と部分的に連通させて内部空間２４ａ側へと延設されたガイド筒部３４とを備えて形成されている。
【００２１】
さらに、金属や合成樹脂材など、適宜の硬質素材からなる連結軸部４０は、一側支持片部１４の穴部２１ａと他側支持片部２４のガイド筒部３４との内径との関係で定まる適宜外径と、一側支持片部１４の掛合段部２１ｂから他側支持片部２４の掛止部３３を引き離すことができるに足る適宜長さとが付与された棒状や中空筒状となって形成されている。しかも、連結軸部４０における他側連結部４４の端面４５側には、介装配置される圧縮コイルスプリングＳの抜脱を阻止するための鍔部４６がガイド筒部３４の開放端３４ａへの掛止を自在にして付設されている。
【００２２】
このため、図６に示す連結構造は、他側支持片部２４のガイド筒部３４の開放端３４ａ側に掛止させることにより圧縮コイルスプリングＳを残置させた状態のもとで連結軸部４０の一側連結部４２を掛止部３３方向に向けて差し込み、一側支持片部１４の穴部２１ａ内に到達させて該穴部２１ａと一側連結部４２とを接合固着したり、螺着（図示せず）するなどして固定させることにより形成されることになる。
【００２３】
しかも、この場合における一側支持片部１４と他側支持片部２４とは、圧縮コイルスプリングＳの付勢力により常に密接しようとする力が作用した状態のもとで相互に連結されることになる。
【００２４】
このため、一側支持片部１４の表出外側面１６または２２と他側支持片部２４の表出外側面２６または２９とが面一となった位置関係のもとでは、他側支持片部２４の掛止部３３が一側支持片部１４の掛合段部２１ｂ内に自然に入り込んで掛合状態となることから、一側支持片部１４と他側支持片部２４との面一状態を安定的に維持させることができることになる。なお、連結軸部４０には、所望により圧縮コイルスプリングＳを介装配置しないでおくこともできる。
【００２５】
次に、本発明の作用・効果について図１に示す磁着具１１を例に図３を参酌しながら説明すれば、メモ紙片などのシート状薄片Ａは、磁性ボードのような磁性相手材Ｂの適宜位置に配置し、その上から支持体１３の他側面１８に付設されている磁石材１２を配置することにより、磁着具１１と磁性相手材Ｂとの間に挟着された状態のもとで安定的に止着しておくことができる。
【００２６】
この場合、支持体１３を構成している他側支持片部２４は、その一側面２５側の表出外側面２６と他側面２８側の表出外側面２９とのいずれかを選択的に表側に位置させることができる。
【００２７】
すなわち、磁着具１１は、図１に示すように一側支持片部１４の一側面１５側に位置する表出外側面１６と、他側支持片部２４の一側面２５側に位置する表出外側面２６とを表側に位置させた状態のもとで、図３（ａ）に示すように磁性相手材Ｂに対しメモ紙片などのシート状薄片Ａを安定的に止着させながら磁着させておくことができる。
【００２８】
つまり、磁着具１１は、図３（ａ）に示すように一側支持片部１４を例えば男の子の顔が描示されたキャラクター表示部１７として、他側支持片部２４を例えば男の子の服装が描示されたキャラクター表示部２７として表側に位置させることができるほか、他側支持片部２４の側を１８０度回転させることにより、図３（ｂ）に示すように例えば女の子の服装が描示されたキャラクター表示部３０を表側に位置させることもできることになる。
【００２９】
このため、磁着具１１は、一側支持片部１４のキャラクター表示部１７に表現されているキャラクターと、他側支持片部２４のキャラクター表示部２７に表現されているキャラクターとの組合せパターンのもとで、興趣に富む視覚印象を与えながらシート状薄片Ａを磁性相手材Ｂに安定的に止着させることができる。
【００３０】
また、所望により他側支持片部２４の他側面２８側に位置させた表出外側面２９を表側に位置させた場合には、図３（ｂ）に示すように一側支持片部１４のキャラクター表示部１７に表現されているキャラクターと、他側支持片部２４のキャラクター表示部３０に表現されているキャラクターとの組合せパターンのもとで、興趣に富む視覚印象を与えながらシート状薄片Ａを磁性相手材Ｂに安定的に止着させることができる。
【００３１】
つまり、幼い子供であっても簡単に操作できる可変表示機能が付与された図１に示す磁着具１１を用いる場合には、図３（ａ）に示す組合せパターンと、これとは視覚印象を異にする図３（ｂ）に示す組合せパターンとからなる変化と意外性に富む飽きのこないキャラクター表現を得ることができることになる。
【００３２】
一方、図４に示す磁着具１１を用いる場合には、支持体１３を構成している一側支持片部１４と他側支持片部２４は、一側面１５または２５側の表出外側面１６または２６と、他側面１８または２８側の表出外側面２２または２９とのそれぞれのいずれかを選択的に表側に位置させることができる。
【００３３】
すなわち、磁着具１１は、図４（ａ）に示すように一側支持片部１４の一側面１５側に位置する表出外側面１６と、他側支持片部２４の一側面２５側に位置する表出外側面２６とを表側に位置させた状態のもとで、例えば磁性相手材Ｂに対しシート状薄片Ａを安定的に止着させながら磁着させておくことができる。
【００３４】
このため、磁着具１１は、一側支持片部１４のキャラクター表示部１７に表現されているキャラクターと、他側支持片部２４のキャラクター表示部２７に表現されているキャラクターとの組合せパターンのもとで、興趣に富む視覚印象を与えながらシート状薄片Ａを磁性相手材Ｂに安定的に止着させることができる。
【００３５】
また、所望により一側支持片部１４の他側面１８と、他側支持片部２４の他側面２８とを共に表側に位置させた場合には、図４（ｂ）に示すように一側支持片部１４のキャラクター表示部２３に表現されているキャラクターと、他側支持片部２４のキャラクター表示部３０に表現されているキャラクターとの組合せパターンのもとで、興趣に富む視覚印象を与えながら例えばシート状薄片Ａを磁性相手材Ｂに安定的に止着させることができる。
【００３６】
しかも、図４に示す磁着具１１を用いる場合には、図示は省略してあるが、一側支持片部１４のキャラクター表示部１７に表現されているキャラクターと、他側支持片部２４のキャラクター表示部３０に表現されているキャラクターとの組合せパターンのほか、一側支持片部１４のキャラクター表示部２３に表現されているキャラクターと、他側支持片部２４のキャラクター表示部２７に表現されているキャラクターとの組合せパターンをも得ることができる。つまり、図４に示す磁着具１１を用いる場合には、興趣と意外性とに富む計４種類のキャラクター表現を得ることができることになる。
【００３７】
また、図５の一側支持片部１４と他側支持片部２４と連結軸部４０とを図６に示すようにして相互に連結する場合には、圧縮コイルスプリングＳの付勢力に抗して一側支持片部１４と他側支持片部２４とのいずれかを引っ張ることにより、一側支持片部１４の掛合段部２１ｂと他側支持片部２４の掛止部３３との間の掛合状態を解除させることができる。
【００３８】
このため、一側支持片部１４および／または他側支持片部２４は、連結軸部４０を中心に自由に回動させることができるので、一側支持片部１４と他側支持片部２４との組合せにより計４種類のキャラクター表現パターンを得ることができる。
【００３９】
しかも、一側支持片部１４と他側支持片部２４との組合せからなる適宜のキャラクター表現パターンを得た後は、一側支持片部１４と他側支持片部２４とが面一となった位置関係のもとで引張力を解除することにより、圧縮コイルスプリングＳの付勢力を介して他側支持片部２４の掛止部３３と一側支持片部１４の掛合段部２１ｂとが自然に掛合されることから、一側支持片部１４と他側支持片部２４との面一状態を安定的に維持させてやることができる。
【００４０】
以上は、本発明を図示例に即して説明したものであり、その具体的な実施形態の内容はこれに限定されるものではない。例えば、一側支持片部１４と他側支持片部２４とのそれぞれの外形形状は、図示例のように円形とすることなく、方形や楕円形のほか、動植物外形や人物外形などの適宜形状のものを採用することができる。
【００４１】
また、図示例では、一側支持片部１４の外形と他側支持片部２４の外形とを同一形状としているが、適宜の形状を組み合わせた非同一の形状とすることもできる。さらに、一側支持片部１４と他側支持片部２４と連結軸部４０との間に形成される連結構造についても、図示例に限定されるものではなく、要は一側支持片部１４と他側支持片部２４とが回動自在に連結されているものでありさえすれば、その具体的な構造は適宜採用することができる。
【００４２】
また、磁石材１２は、一側支持片部１４の側でなく、他側支持片部２４の側に付設したり内蔵させておくことができ、さらには、一側支持片部１４と他側支持片部２４との双方に付設したり内蔵させておくこともできる。なお、磁着具１１は、シート状薄片Ａを止着する実用的な用途のみならず、可変表示機能を有する装飾具としての用途に供することもできる。
【００４３】
【発明の効果】
以上述べたように本発明によれば、支持体は、連結軸部を介して連結される一側支持片部と他側支持片部とを連結軸部の軸方向に対して直交する方向での回動を自在とし、一側支持片部と他側支持片部とのそれぞれの表出外側面をキャラクター表示部とすることにより形成されているので、これらのキャラクター表示部を介して複数種類の表示パターンのもとで視覚印象を異にするキャラクターを可変表示させることができ、飽きのこない変化と意外性に富んだ表示を楽しみながら磁性相手材に磁着させて使用することができる。
【図面の簡単な説明】
【図１】本発明の一例についての正面図。
【図２】図１におけるＩ−Ｉ線矢視方向での縦断面図。
【図３】図１に示す磁着具の使用状態を示す説明図であり、そのうちの（ａ）は第１のキャラクター表現例を、（ｂ）は第２のキャラクター表現例をそれぞれ示す。
【図４】本発明の他例を示すものであり、そのうちの（ａ）は正面図を、（ｂ）は背面図をそれぞれ示す。
【図５】図４（ａ）におけるＩＩ−ＩＩ線矢視方向での縦断面図。
【図６】図５との対応関係のもとで一側支持片部と他側支持片部と連結軸部との間の連結構造の他例につきその要部を拡大して示す縦断面図。
【符号の説明】
１１　磁着具
１２　磁石材
１３　支持体
１４　一側支持片部
１４ａ　内部空間
１５　一側面
１６　表出外側面
１７　キャラクター表示部
１８　他側面
１９　対向面
２０　軸穴
２１　凹陥部
２１ａ　穴部
２１ｂ　掛合段部
２２　表出外側面
２３　キャラクター表示部
２４　他側支持片部
２４ａ　内部空間
２５　一側面
２６　表出外側面
２７　キャラクター表示部
２８　他側面
２９　表出外側面
３０　キャラクター表示部
３１　対向面
３２　通孔
３３　掛止部
３４　ガイド筒部
３４ａ　開放端
４０　連結軸部
４１　一端部
４２　一側連結部
４３　他端部
４４　他側連結部
４５　端面
４６　鍔部
Ａ　シート状薄片
Ｂ　磁性相手材
Ｓ　圧縮コイルスプリング
【図１】
2004017575.tif 000003
【図２】
2004017575.tif 000004
【図３】
2004017575.tif 000005
【図４】
2004017575.tif 000006
【図５】
2004017575.tif 000007
【図６】
2004017575.tif 000008